(57)【要約】【課題】  径方向（図１（Ａ）の上下左右方向）の寸法を一層小さくできるコネクタを提供する。【解決手段】  電気的接続を得るコンタクト21をケーシング29内に収めたコネクタＰであって、相手面100bに突き合わされるケーシング端面29bに形成されたパッキン溝29fを有する。ボルト49の存在する部分においては、パッキン溝29fは内側に窪んでおり、ボルト49の存在しない部分においては、パッキン溝29fは周辺部寄りに張り出している。必要なシール領域を確保しつつ、コネクタの外形寸法を小さくする。【選択図】  図１
2020126739.tif 000002
【特許請求の範囲】
【請求項１】
電気的接続を得るコンタクト（21）をケーシング（29）内に収めたコネクタ（Ｐ）であって、
相手面（100b）に突き合わされる前記ケーシング（29）の端面（29b）に形成された、環状パッキン（33）を保持するパッキン溝（29f）を有し、
前記端面（29b）を相手面に突き合わせる締結部材（49）の存在する部分においては、前記パッキン溝（29f）は前記環状パッキン（33）の内側のシール領域の中央部寄りに窪んでおり、前記締結部材（49）の存在しない部分においては、前記パッキン溝（29f）は前記シール領域の周辺部寄りに張り出していることを特徴とするコネクタ。
【請求項２】
突き合わされる二つの面（29b、100b）の間のシール領域をシールする環状パッキン（33）を保持するための、前記二つの面の一方（29b）に形成されたパッキン溝（29f）であって、
前記二つの面（29b、100b）を突き合わせる締結部材（49）の存在する部分においては、前記パッキン溝（29f）は前記シール領域の中央部寄りに窪んでおり、前記締結部材（49）の存在しない部分においては、前記パッキン溝（29f）は前記シール領域の周辺部寄りに張り出していることを特徴とするパッキン溝。
【請求項３】
前記パッキン（33）が、側面断面形状において、溝奥が二つに分かれたＶ字状であることを特徴とする請求項１記載のコネクタ又は請求項２記載のパッキン溝。  
【請求項４】
前記締結部材（49）が、前記パッキン溝（29f）の外周に接する仮想円（KE）の内側に位置することを特徴とする請求項１又は３記載のコネクタ又は請求項２又は３記載のパッキン溝。
【発明の詳細な説明】
【技術分野】
【０００１】
本発明は、電線を接続するコネクタなどに関する。特には、鉄道の信号系統などの屋外の過酷な環境でも使用可能な、防水性・耐振動性・耐衝撃性・耐久性・信頼性などに優れたコネクタなどに関する。
【背景技術】
【０００２】
鉄道の列車在線検知システムやポイント切り替え確認システムにおいては、軌道回路の信号電流を通す通電線が、レールに接続されている。このような鉄道用レールに直接接続する電線のコネクタは、耐振性・耐衝撃性や防水性が求められる。また、高速・公共輸送の保安信号設備として、高い信頼性も必須である。
【０００３】
本願出願人らは、特許文献１（特開2004-169781）の耐振コネクタを開発した。図４・図５のコネクタＣは、高速鉄道の信号・保安設備の例としての接着照査器に設置されているものである。なお、接着照査器とは、軌道の切り替えポイントで、軌道の切り替えの完了を確認する装置である。なお、これらの図においては、構成部品や部位の符号・名称は、特許文献１のものと異なっている。
【０００４】
図４は、特許文献１の図２に示されている耐振コネクタの側面断面図である。プラグＰとレセプタクルＲが分離している状態である。
図５は、図４に示されている耐振コネクタの、プラグＰとレセプタクルＲが合体した状態の側面断面図である。
【０００５】
図４において、左側に、照査器（図示されず）のコネクタ取付けパネル100が、上下に延びる帯状に示されている。このパネル100に、コネクタＣのレセプタクルＲが取り付けられている。レセプタクルＲは、オスコンタクト（導電ピン）101や、それを保持するピンインシュレータ105などを備える。ピンインシュレータ105は、固定用のビス108で、パネル100に固定されている。ピンインシュレータ105とパネル100の間は防水パッキン109が挟まれている。
【０００６】
図４の右側には、プラグＰが示されている。プラグＰは、メスコンタクト121や、それを保持するソケットインシュレータ125、それらを内包する本体カバー129などを備える。本体カバー129内の下部には、メスコンタクト121の右端部に接続されたケーブル素線141や、ケーブル143の端部が収容されている。ケーブル143の外周にはケーブルパッキン145が設けられている。
【０００７】
ケーブル素線141は、本体カバー129内で、Ｌ字型に９０度屈曲している。すなわち、ケーブル143は、本体カバー129に、図の下方から、コネクタの接続軸（通常水平）に直角に入っている。これは、接着照査器へのコネクタの取付けスペースに限りがあるので、照査器からのコネクタ（プラグＰ）の突出寸法を最小限にするためである。また、振動による共振を抑制するためである。
【０００８】
本体カバー129の左端面には、パネル100と本体カバー129との間をシールするパッキン133が配置されている。本体カバー129は、図５に示す締結ボルト149で、取付けパネル100に固定される。本体カバー129内にはレジン138が充填されている。なお、上記パッキン109・133は、照査器側からの振動や衝撃を吸収する作用もある。
【０００９】
図５は、プラグＰをレセプタクルＲに挿入した状態である。この状態では、レセプタクルＲのオスコンタクト101が、プラグＰのメスコンタクト121の内孔に入り込んで、両者は導通している。同時に、プラグＰのソケットインシュレータ125の左部分が、レセプタクルＲのピンインシュレータ105の内凹部に嵌り込んでいる。
【先行技術文献】
【特許文献】
【００１０】
【特許文献１】特開2004−169781号公報
【発明の開示】
【発明が解決しようとする課題】
【００１１】
本発明は、特許文献１のコネクタよりも、径方向（図１（Ａ）の上下左右方向）の寸法を一層小さくできるコネクタを提供することを目的とする。これにより、コネクタの質量・慣性モーメントを下げ、振動に伴う慣性負荷を低減して耐振性が一層向上したコネクタを提供することを目的とする。
【課題を解決するための手段】
【００１２】
この「課題を解決するための手段」、及び、「特許請求の範囲」においては、添付図各部の参照符号を括弧書きして示すが、これは単に参考のためであって、権利範囲を添付図のものに限定する意図はない。
【００１３】
本発明のコネクタは、  電気的接続を得るコンタクト（21）をケーシング（29）内に収めたコネクタ（Ｐ）であって、  相手面（100b）に突き合わされる前記ケーシング（29）の端面（29b）に形成された、環状パッキン（33）を保持するパッキン溝（29f）を有し、  前記端面（29b）を相手面に突き合わせる締結部材（49）の存在する部分においては、前記パッキン溝（29f）は前記環状パッキン（33）の内側のシール領域の中央部寄りに窪んでおり、前記締結部材（49）の存在しない部分においては、前記パッキン溝（29f）は前記シール領域の周辺部寄りに張り出していることを特徴とする。
本発明のパッキン溝は、  突き合わされる二つの面（29b、100b）の間のシール領域をシールする環状パッキン（33）を保持するための、前記二つの面の一方（29b）に形成されたパッキン溝（29f）であって、  前記二つの面（29b、100b）を突き合わせる締結部材（49）の存在する部分においては、前記パッキン溝（29f）は前記シール領域の中央部寄りに窪んでおり、前記締結部材（49）の存在しない部分においては、前記パッキン溝（29f）は前記シール領域の周辺部寄りに張り出していることを特徴とする。
このようなパッキン溝を設ける好適な機器は、例えば、電気コネクタ、高周波・同軸コネクタ、光コネクタ、モジュラータイプコネクタなどである。
【００１４】
円形のパッキン溝で、その外側に締結部材（49、ボルトなど）を設けると、コネクタのケーシング（29、本体カバー）などの、パッキン溝を形成する部材の外形寸法が大きくなる。一方、円形のパッキン溝の内側の円形のシール領域は、利用されていない無駄な部分も存在することが多い。そこで、締結部材（49）の存在する部分においては、パッキン溝（29f）を、環状パッキン（33）の内側のシール領域の中央部寄りに窪ませ、これにより、必要なシール領域を確保しつつ、締結部材を極力内側に寄せて、コネクタなどの外形寸法を小さくする。それに伴い、コネクタなどの機器の質量・質量モーメント下げることもできる。
【００１５】
本発明においては、前記パッキン（33）が、側面断面形状において、溝奥が二つに分かれたＶ字状であることが好ましい。
【００１６】
パッキン（33）の中央部寄りに窪んだ部分（33d）は、３か所以上であることが好ましい。また、同部分（33d）は、パッキン（33）の周辺部寄りに張り出している部分（33b）の外周よりも内側に締結部材（49）が位置するように、十分に中心寄りに窪んだものであることが好ましい。
【発明の効果】
【００１７】
本発明によれば、特許文献１のコネクタよりも径方向の寸法を一層小さくできるコネクタなどの機器を提供できる。これにより、機器の質量・慣性モーメントを下げ、振動に伴う慣性負荷を低減して耐振性が一層向上したコネクタなどを提供できる。
【図面の簡単な説明】
【００１８】
【図１】本発明の実施形態に係るコネクタのプラグＰの図である。（Ａ）は正面図であり、（Ｂ）は側面断面図である。
【図２】プラグＰのソケットインシュレータ25を拡大して示す平面図である。
【図３】プラグＰのメスコンタクト21にケーブル素線41を接続し、本体カバー29内にケーブル43を組み込んだ状態の側面断面図である。
【図４】特許文献１の図２に示されている耐振コネクタの側面断面図である。プラグＰとレセプタクルＲが分離している状態である。
【図５】図４に示されている耐振コネクタの、プラグＰとレセプタクルＲが合体した状態の側面断面図である。
【符号の説明】
【００１９】
Ｃ；コネクタ、Ｐ；プラグ、Ｒ；レセプタクル
21；メスコンタクト、21b；摺り割り付き孔、21f；固定胴部、21j；半田固定部
25；ソケットインシュレータ、25b；孔、25f；コンタクト固定部、25m；脚部、
25r；脚台
29；本体カバー（ケーシング）、29b；端面、29q；底、29r：台座
29f；パッキン溝、29fb；凸部、29fd；凹部、29t；ボルト孔形成部、29w；ボルト孔
29v；ケーブル孔
33；環状パッキン、33b；凸部（周辺部寄りに張り出している部分）、33d；凹部（中央部寄りに窪んだ部分）、
41；ケーブル素線、43；ケーブル、
45；ケーブルパッキン、46；クランプワッシャー、47；クランプナット
48；固定ネジ、49；締結部材（ボルト）
100；パネル、100b；相手面
【発明の実施の形態】
【００２０】
以下、添付図を参照しつつ、本発明の実施形態を説明する。
図１は、本発明の実施形態に係るコネクタのプラグＰの図である。（Ａ）は正面図であり、（Ｂ）は側面断面図である。図に示す方向「上下」は、コネクタの一般的な配置における方向であるが重力方向に限定されるものではない。正面図における「左右」は、図を見た方向である。側面図における「レセ側」は、コネクタとして連結した場合にレセプタクルＲあるいは機器の側であり、「反レセ側」はその反対側である。
【００２１】
図１及び図３のプラグＰは、図４・図５の先行技術のコネクタと、全体としては類似のコネクタを構成している。すなわち、プラグＰは、メスコンタクト21や、それを保持するソケットインシュレータ25、それらを内包する本体カバー29などを備える。本体カバー29の下部には、ケーブル43（図３参照）の端部が挿入されるケーブル孔29vが形成されている。ケーブルは、特許文献１のコネクタと同様に、プラグＰ内でＬ字形に屈曲した形態となる。
【００２２】
ケーブル孔29vの下方には、ケーブルの外周に押し当てられるケーブルパッキン45、及び、同パッキンの下端面に当てられたクランプワッシャー46が設けられている。ケーブル孔29vの周壁の外面にはオネジが切られており、このオネジにクランプナット47が螺合している。クランプナット47をねじ込むと、ワッシャー46を介してケーブルパッキン45が軸方向（上下）に圧縮され、パッキンが内側に張り出して、ケーブルの外面に強く押し当てられる。
【００２３】
次に、本実施形態のプラグＰの特徴部分である「パッキン溝29f」及び「プラグ端面パッキン33」について詳しく説明する。プラグＰの本体カバー29のレセ側の端面29bには、パッキン33が配置されている。このパッキン33は、同端面29bに彫り込まれたパッキン溝29fに嵌め込まれている。パッキン33の側面断面形状は、溝奥が二つに分かれたＶ字状である。このパッキン33は、先行技術のプラグのパッキン133と同様に、コネクタ連結時において図１（Ｂ）に示すレセプタクルＲの取り付けられているパネル100と本体カバー29との間をシールする。なお、本体カバー29は、締結ボルト49で、取付けパネル100に固定される。
【００２４】
この実施形態のプラグ端面パッキン33・パッキン溝29fの特徴は、図１（Ａ）に示す正面形状である。パッキン溝29fは、三か所の凸部29fbと三か所の凹部29fdを有する、三つ葉クローバー状（締結部材（ボルト）３本の場合）である。パッキン33も、パッキン溝29fに沿うので、正面視、三か所の凸部33bと三か所の凹部33dを、交互に有する三つ葉クローバー状である。など、締結部材（ボルト）が４本の場合は、四葉クローバー状となる。
【００２５】
パッキンの凹部33d・パッキン溝の凹部29fdの外側のボルト孔形成部29tには、ボルト孔29wがレセ側・反レセ側に貫通している。逆に言うと、パッキン33・パッキン溝29fは、ボルト孔29wを避けるように、その内側に凹んでいる。もし、パッキン33・パッキン溝29fが凹みのない円形（凸部33b・29fbの外周に接する想像線で示す仮想円KEを参照）であると、ボルト孔29wはその円の外側に設けることになり、その分だけ、本体カバー29の外径が大きくなる。この実施形態では、ボルト孔29w及びボルト49は、上記仮想円KEの内側に位置する。
【００２６】
この実施形態のコネクタプラグＰにおいては、パッキン溝29f・パッキン33の凸部29fb・33bの内側（シール領域内）は、上部左右にソケットインシュレータ25の固定ネジ48が配置されており、下部はケーブル素線41（図３）が下方に導かれる空間となっている。
【００２７】
このプラグＰの径小化により、本発明のコネクタＣは、特許文献１のコネクタよりも径方向の寸法を小さくできる。これにより、コネクタの質量・慣性モーメントを下げ、振動に伴う慣性負荷を低減して、コネクタの耐振性が一層向上できる。
【００２８】
ソケットインシュレータ25は、図１（Ｂ）に示すように、メスコンタクト21を包む、ブロック状の樹脂製絶縁部材である。ソケットインシュレータ25は、上下に二段、左右に３段（図１（Ａ）参照）、合計６本のメスコンタクト21を内包している。
【００２９】
メスコンタクト21は、オスコンタクトを受け入れる摺り割り付き孔21bや、固定胴部21f、ケーブル素線（図３参照）の半田固定部21jを有する。このメスコンタクト21は、ソケットインシュレータ25のコンタクト固定部25fの孔25b内に挿入固定されている。
【００３０】
ソケットインシュレータ25は、正面視で左右のやや長い長方形であり、左右両側部に耳状のネジ押さえ部である脚台25rが突出形成されている。同脚台25rにおいて、ネジ48により、ソケットインシュレータ25は本体カバー29に取り付けられている。図２に示すように、脚台25rは、コンタクト固定部25fの反レセ側に接続し、左右にはね出している。脚台25rの反レセ側の内側には、脚部25mが反レセ側に延び出すように接続されている。
【００３１】
上記インシュレータ25の脚台25rは、本体カバー29の底29qに突出形成された台座29rの上に載っている。この台座29rにはネジ48のねじ込まれるメネジ（非貫通）が切られている。台座29rの内側（図に記した矢印方向では左側）には、前述の脚部25mのスカート25pが沿っている。台座29rは、インシュレータ25の左右上角が当って位置決めするための出っ張りでもある。
【００３２】
脚部25mのスカート25pの内側の空間は、図３に示すように、ケーブル素線41が９０度屈曲される空間となっている。また、ケーブル素線41の皮むき素線と、メスコンタクト21の半田固定部21jとを半田付けする作業空間ともなっている。この例では、メスコンタクト21の半田固定部21jは、上下のメスコンタクト21ともに上開き形状である。したがって、ケーブル素線は脚25mの作用により曲げによるストレスを軽減できる。
【００３３】
以上説明した実施形態においては、様々な改変・追加が可能である。
【図１】
2020126739.tif 000003
【図２】
2020126739.tif 000004
【図３】
2020126739.tif 000005
【図４】
2020126739.tif 000006
【図５】
2020126739.tif 000007
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
電気的接続を得るコンタクト（21）をケーシング（29）内に収めたコネクタ（Ｐ）であって、
相手面（100b）に突き合わされる前記ケーシング（29）の端面（29b）に形成された、環状パッキン（33）を保持するパッキン溝（29f）を有し、
前記環状パッキン（33）の内側のシール領域には、コンタクト（21）を内包するインシュレータ（25）が配置されており、
前記コンタクト（21）は、相手側のコンタクト（101）と接続及び分離可能であり、
前記ケーシング（29）の端面（29b）は、前記コンタクト（21）と、前記相手側のコンタクト（101）との接続及び分離に伴って、前記相手面（100b）に突き合わされる状態か離れる状態となり、
前記端面（29b）を相手面に突き合わせる締結部材（49）の存在する部分においては、前記パッキン溝（29f）は前記環状パッキン（33）の内側のシール領域の中央部寄りに窪んでおり、前記締結部材（49）の存在しない部分においては、前記パッキン溝（29f）は前記シール領域の周辺部寄りに張り出していることを特徴とするコネクタ。
【請求項２】
前記インシュレータ（25）が、前記シール領域の周辺部寄りに張り出している部分（29fb・33b）の内側において、前記ケーシング（29）に固定されていることを特徴とする請求項１記載のコネクタ。
【請求項３】
前記パッキン（33）が、側面断面形状において、溝（29f）の奥の部分が二つに分かれ、前記溝（29f）から突き出した一か所のみの凸部を有するＶ字状であることを特徴とする請求項１又は２記載のコネクタ。
【請求項４】
前記締結部材（49）が、前記パッキン溝（29f）の外周に接する仮想円（KE）の内側に位置することを特徴とする請求項１、２又は３記載のコネクタ。
【手続補正書】
【提出日】令和1年11月6日(2019.11.6)
【手続補正２】
【補正対象書類名】特許請求の範囲
【補正対象項目名】全文
【補正方法】変更
【補正の内容】
【特許請求の範囲】
【請求項１】
電気的接続を得るコンタクト（21）を正面視で外形形状が略円形のケーシング（29）内に収めたコネクタ（Ｐ）であって、
相手面（100b）に突き合わされる前記ケーシング（29）の端面（29b）に形成された、環状パッキン（33）を保持するパッキン溝（29f）を有し、
前記環状パッキン（33）の内側のシール領域には、コンタクト（21）を内包するインシュレータ（25）が配置されており、
前記コンタクト（21）は、相手側のコンタクト（101）と接続及び分離可能であり、
前記ケーシング（29）の端面（29b）は、前記コンタクト（21）と、前記相手側のコンタクト（101）との接続及び分離に伴って、前記相手面（100b）に突き合わされる状態か離れる状態となり、
前記端面（29b）を相手面に突き合わせる締結部材（49）の存在する部分においては、前記パッキン溝（29f）は前記環状パッキン（33）の内側のシール領域の中央部寄りに窪んでおり、前記締結部材（49）の存在しない部分においては、前記パッキン溝（29f）は前記シール領域の周辺部寄りに張り出しており、
前記パッキン溝（29f）は、正面視で、三つ葉クローバー状又は四葉クローバー状であることを特徴とするコネクタ。
【請求項２】
前記インシュレータ（25）が、前記シール領域の周辺部寄りに張り出している部分（29fb・33b）であって、互いに対向する二か所のクローバー状の葉の部分の内側において、前記ケーシング（29）に固定されていることを特徴とする請求項１記載のコネクタ。
【請求項３】
前記パッキン溝（29f）は、正面視で、三つ葉クローバー状であり、
前記インシュレータ（25）が、前記シール領域の周辺部寄りに張り出している部分（29fb・33b）であって、互いに対向する二か所のクローバー状の葉の部分の内側において、前記ケーシング（29）に固定されており、
残り一つのクローバー状の葉の部分である前記シール領域の周辺部寄りに張り出している部分（29fb・33b）にケーブル（43）が挿入されていることを特徴とする請求項１記載のコネクタ。
【請求項４】
前記パッキン（33）が、側面断面形状において、溝（29f）の奥の部分が二つに分かれ、前記溝（29f）から突き出した一か所のみの凸部を有するＶ字状であることを特徴とする請求項１、２又は３記載のコネクタ。  
【請求項５】
前記締結部材（49）が、前記パッキン溝（29f）の外周に接する仮想円（KE）の内側に位置することを特徴とする請求項１〜４いずれか1項記載のコネクタ。